(57)【要約】  可搬式訓練構造物（２）と可搬式構造物を使用する戦術訓練のための方法とが開示されている。
2013529271.tif 000002
【特許請求の範囲】
【請求項１】
戦術活動のための戦術訓練の方法であって、
可搬式訓練構造物を組み立てるステップと、
訓練活動中に遭遇する構造物を模するよう前記可搬式構造物を使用して戦術訓練模擬セッションを行うステップと、
前記可搬式訓練構造物を分解するステップとを含む、
方法。
【請求項２】
前記可搬式訓練構造物を組み立てるステップは、
部屋枠組構造を組み立てるステップと、
多数の部屋枠組構造を形成するよう枠組構造部分を前記第一部屋枠組構造に取り付けるステップと、
前記可搬式訓練構造物の壁を形成するよう壁材料を前記枠組構造部分に取り付けるステップとを含む、
請求項１に記載の戦術活動のための戦術訓練の方法。
【請求項３】
前記可搬式訓練構造物を組み立てるステップは、
一連の壁支持体と壁支持体コネクタを提供するステップと、
構造枠組を形成するよう前記壁支持体と前記壁支持体コネクタとを接続するステップと、
前記可搬式訓練構造物のための壁を形成するために壁材料を壁支持体に取り付けるステップとを含む、
請求項１に記載の戦術活動のための戦術訓練の方法。
【請求項４】
前記可搬式訓練構造物を組み立てるステップは、
第一部屋枠組を組み立てるステップと、
第二部屋枠組を形成するために複数の壁支持体及び壁支持体コネクタを前記第一部屋枠組に取り付けるステップとを含み、
前記第一部屋枠組は、部屋空間を定める、
請求項３に記載の戦術活動のための戦術訓練の方法。
【請求項５】
前記可搬式訓練構造物を組み立てるステップは、
複数の壁コネクタ及び壁支持体を複数の部屋を含む構造枠組に組み立てるステップを含む、
請求項３に記載の戦術活動のための戦術訓練の方法。
【請求項６】
前記壁材料は、前記構造壁を形成するために、前記壁支持体及び前記壁コネクタに取り付けられる、請求項５に記載の戦術活動のための戦術訓練の方法。
【請求項７】
訓練される人は、軍人及び法執行人で構成される群から選択される、請求項１に記載の戦術活動のための戦術訓練の方法。
【請求項８】
前記壁材料は、前記構造壁を形成するために、前記壁コネクタに取り付けられる、請求項５に記載の戦術活動のための戦術訓練の方法。
【請求項９】
前記可搬式訓練構造物を組み立てるステップは、
複数の壁支持体を複数の壁支持体コネクタに取り付けるステップを含み、
壁支持体は、第一端部と、第二端部とを含み、前記壁支持体は、前記第一端部と前記第二端部との間のある長さを含み、前記第一端部及び前記第二端部は、壁支持体コネクタに接続するように構成され、
壁支持体コネクタは、概ね水平な平面を含み、前記コネクタは、前記水平な平面内に、第一軸と、第二軸とを含み、前記第一軸及び前記第二軸は、概ね垂直な角度で交差し、前記壁支持体コネクタは、前記第一軸の上の第一端部及び第二端部と、前記第二軸の上の第一端部及び第二端部とを含み、前記第一軸の前記第一端部及び前記第二端部は、前記第一軸の両端部に配置され、前記第一軸の前記第一端部及び前記第二端部は、壁支持体に接続するように構成され、前記第二軸の前記第一端部及び前記第二端部は、前記第二軸の両端部に配置され、前記第二軸の前記第一端部及び前記第二端部は、壁支持体に接続するように構成され、前記壁支持体コネクタは、第三軸を含み、該第三軸は、前記第一軸及び前記第二軸の交差点で、前記第一軸及び前記第二軸と交差し、前記第三軸は、前記第一軸及び前記第二軸及び前記第三軸の交差点で、前記第一軸及び前記第二軸に対して概ね垂直であり、前記第三軸は、第一端部と、第二端部とを含み、前記第三軸の前記第一端部は、前記第一軸及び前記第二軸及び前記第三軸の交差点に接続され、前記第三軸の前記第二端部は、壁支持体に接続するように構成され、
壁区画の隅部が、第一壁支持体の第一端部を前記壁支持体コネクタの前記第一軸の前記第一端部に接続することによって、並びに、第二壁支持体を前記第二軸の前記端部に取り付けることによって、並びに、第三壁支持体を前記第三軸の前記第一端部に取り付けることによって形成され、少なくとも１つの部屋を含む可搬式構造物が、前記可搬式構造物の複数の隅部を形成するよう、複数の支持体コネクタと複数の壁支持体を接続することによって組み立てられ、複数の相互接続される隅部が、可搬式構造枠組構成部材を含む可搬式構造枠組を形成し、壁材料を少なくとも１つの可搬式構造物に取り付けて前記可搬式構造物の壁を形成する、
請求項１に記載の戦術活動のための戦術訓練の方法。
【請求項１０】
複数の隅部を接続することは、壁枠組を形成し、部屋枠組は、複数の隅部を形成するよう配置される８個の壁支持体コネクタと１２個の壁支持体とを含み、複数の隅部は、部屋枠組を形成するよう配置され、前記部屋枠組は、多数の部屋枠組構造を形成するよう、第二部屋枠組に付着するように構成され、前記部屋枠組の前記壁支持体及び前記壁支持体コネクタは、部屋枠組内に配置されるときに、第一壁開口と、第二壁開口と、第三壁開口と、第四壁開口と、天井開口とを形成するように構成され、前記部屋枠組は、少なくとも１つの壁を形成するよう、前記壁材料に付着するように構成され、前記壁材料は、前記壁を形成するよう、少なくとも１つの壁開口の一部を覆うように構成され、前記部屋枠組は、多数の部屋枠組を形成するよう、第二部屋枠組に付着するように構成される、  請求項９に記載の戦術活動のための戦術訓練の方法。
【請求項１１】
当該方法は、前記可搬式構造物が分解された後、前記可搬式構造物を少なくとも１つの貯蔵容器内に配置するステップを含む、請求項１に記載の戦術活動のための戦術訓練の方法。
【請求項１２】
前記壁支持体は、調節可能な長さを含み、当該方法は、前記壁支持体の前記長さを調節するステップを含む、請求項９に記載の戦術活動のための戦術訓練の方法。
【請求項１３】
前記壁支持体は、伸縮式に調節可能な長さを含む、請求項１２に記載の戦術活動のための戦術訓練の方法。
【請求項１４】
前記壁材料は、ナイロン及び粗布で構成される群から選択される少なくとも１つの材料を含む、請求項２に記載の戦術活動のための戦術訓練の方法。
【請求項１５】
前記壁支持体は、管状支持体を含む、請求項に記載の戦術活動のための戦術訓練の方法。
【請求項１６】
前記管状支持体は、アルミニウム、プラスチック、及び、木で構成される群から選択される材料を含む、請求項１６に記載の戦術活動のための戦術訓練の方法。
【請求項１７】
前記可搬式訓練構造物は、複数の部屋を含む、請求項１に記載の戦術活動のための戦術訓練の方法。
【請求項１８】
前記可搬式訓練構造物は、多数の異なる構造向きに組み立てられることが可能である、請求項１に記載の戦術活動のための戦術訓練の方法。
【請求項１９】
前記可搬式訓練構造物は、少なくとも１つの開口を含む、請求項１に記載の戦術活動のための戦術訓練の方法。
【請求項２０】
複数の壁支持体と、
複数の壁支持体コネクタとを含む、
可搬式構造物であって、
少なくとも１つの壁支持体コネクタは、水平な平面を概ね定め、該水平な平面は、第一軸と、第二軸とを含み、前記第一軸及び前記第二軸は、前記第一軸及び前記第二軸が前記概ね水平な平面内にあるように概ね向けられ、前記第一軸及び前記第二軸は、概ね垂直な角度で交差して、前記第一軸及び前記第二軸が交差する中心を定め、前記第一軸及び第二軸は、第一端部と、第二端部とを有し、前記第一端部及び前記第二端部は、壁支持体への接続のために構成され、前記壁支持体コネクタは、垂直な平面を定め、該垂直な平面は、前記水平な平面に対して概ね垂直であり、前記垂直な平面は、垂直軸を含み、該垂直軸は、概ね前記Ｘ形状の前記中心で接続される第一端部と、壁支持体に接続されるように構成される第二端部とを含み、
前記壁支持体は、当該可搬式構造物の枠組を形成するよう前記壁支持体コネクタに接続するように構成され、
前記壁支持体は、壁材料を支持するように構成され、該壁材料は、当該可搬式構造物のための壁を形成するように構成され、該壁は、出入りのために構成される少なくとも１つの開口を含む、
可搬式構造物。
【発明の詳細な説明】
【技術分野】
【０００１】
（関連出願の参照）
この出願は、２０１０年６月３日に出願された米国仮出願番号第６１／３５０９９３号の利益を主張する。
【０００２】
本開示は、一般的には、可搬式構造物及び戦術訓練方法の分野に関する。具体的な実施態様は、可搬式構造物と、可搬式構造物を組み込む戦闘及び／又は戦術訓練方法とに関する。
【背景技術】
【０００３】
現在、法執行、軍事及び民間団体の安全訓練は、全国的に指定の学術団体又は基地で行われる。歴史的に、訓練の優先度は、基礎訓練又は新規雇用者に与えられ、よって、これらの施設は、継続的に完全操業である。問題は、新規雇用者ではない特別な量の法執行職員、軍人及び警備組織があることである。彼らは、法律、規則又は方針によって、再教育、実務及び上級訓練に参加することが命令される。既存の施設が基礎訓練のために完全操業であるならば、彼らが十分に訓練を受ける施設はなく、歴史的に、再教育、実務又は上級訓練は、間に合わせに委ねられるのがせいぜいである。その場合、機関(agencies)には、僅かの選択肢、利用可能性及び場所、構造物使用可能性及び機能性、リース及びレンタル費用、望ましくない場所及び高価な旅行から成る多数の制約が残される。通常、機関は、公用収用又は放棄された構造物を賃借又は借り入れること、プラスチックテープ又はコーンを使用してコース又は施設を急造すること、残業予算及び職員家庭に影響を及ぼす地域社会資源の時間外使用、静止教室(static  classrooms)を断念し、或いは、訓練を全て差し控えさえもする。米国内には幾つかの民間建造訓練施設があるが、それらの施設は、利用可能性、場所、アクセス及び費用に基づく空間及び使用性の制約があり、機関には、必要とされる訓練を行う施設の実行可能な選択肢が依然としてないままである。
【発明の概要】
【発明が解決しようとする課題】
【０００４】
本発明は従来技術の問題を解決することを目的とする。
【課題を解決するための手段】
【０００５】
概要の目的は、公衆、特に、特許又は法律用語又は語法に精通していない当該技術分野における科学者、技術者及び実務者が、皮相的な閲覧から本出願の技術的開示の性質及び本質を迅速に決定することを可能にすることである。概要は、請求項によって判断されるべき本出願の発明的着想を定めることを意図せず、発明的着想の範囲を限定することを如何様にも意図しない。
【０００６】
PhoenixのPortable  Reality-Based  Training  Facilityは、恒久的構造物の制約から離れて訓練を行う能力を備える即座の自由を機関職員にもたらす。これらの多目的施設は、可搬式、折畳み式、再構成可能、操作可能及び費用効率的であることによって、その自由をもたらす。施設を室内でも屋外でも利用し得る。施設は、基礎、再教育、実務及び上級訓練を含むよう、全ての種類の法執行、軍事及び民間団体訓練を促進する。この施設を用いるならば、機関は、今や、彼らの意思、スケジュール及び予算で、訓練を行う能力を有する。機関は、今や、会議室、マットルーム、野原、駐車場、小火器範囲(firearm  ranges)等におけるような任意の場所で、現実に基づいた機能的な施設を有し得る。これらの可搬式施設は、指導における静的、動的及び対話型訓練が、戦術、制御戦術、防御戦術、武力行使、接近戦、ＮＬＴＡ、小火器、カバーコース、捜索及び逮捕状、状況説明、インタビュー、ロールプレイ、シナリオ及び講義を非限定的に含むことを許容し、それらの組み合わせは、「戦術訓練」の定義に非排他的に含まれる。
【０００７】
台所、就寝エリア、食堂エリア及び倉庫を定めるスポーツマンのキャンプ用のアウトドア用品店及び案内会場において本発明の実施態様を使用し得る。一時的な都市構成のための災害救助キャンプにおいて並びに様々な種類の居室又は営業室を構成することに本発明の実施態様を使用し得る。可搬式教室並びに他の教育機関及び軍事又は政府機関のための訓練エリアとして本発明の実施態様を使用し得る。
【０００８】
本発明は、戦術活動のための戦術訓練の方法と、その方法を用いた使用或いは他の出来事における使用のための可搬式構造物とを開示する。その方法は、少なくとも１つの開口を有する可搬式構造物を組み立てることを含む。この開口は出入りのためであってもよく、窓と同様に作用してもよい。例えば、戦術訓練中の開き窓又は類似の開口を模するよう開口を使用し得る。構造物が閉じられる必要はない。市街戦術状況において見出される構造物を模するよう構造物を使用し得る限り、構造物は開放端部又は類似の構造を有し得る。例えば、戦術状況において見出される通路又は類似の発現、例えば、小路を模するよう開放端部を備える構造物を使用し得る。構造物は、戦術活動において遭遇する構造物を模する可搬式構造物を使用して戦術訓練模擬セッションを行うために使用される。これらの戦術活動は、例えば、法執行、軍事、S.W.A.T.又は戦術操作を包含する任意の他の訓練を含み得る。訓練セッションが完了した後に或いは一連の戦術訓練が完了した後に、構造物は可搬式輸送のために分解される。市街建造物を模するよう構造物を使用し得るが、低木列又は木立に沿って或いは自立形壁に沿って、例えば、洞窟内に見出される戦術状況を模するためにも、構造物を使用し得る。これらの実施例は限定的であることは意図されず、むしろ本質的に例示的である。
【０００９】
構造物を様々な方法において組み立て得る。これらの方法は、部屋枠組を組み立てること、枠組構造部分を部屋枠組に取り付けること、壁材料を枠組構造に取り付け、可搬式訓練構造物の壁を形成することを非限定的に含む。例えば、建築物内の個々の部屋を模するよう、可搬式訓練構造物は、構造物の内側に部屋を有し得る。外部枠組を組み立て、次に、外側枠組によって構築される内部空間を複数の内部部屋に細分することによって、可搬式訓練構造物を構築し得る。
【００１０】
ある好適実施態様において、部屋構造物は、一連の壁支持体と、壁支持体コネクタとを有する。一体に組み立てられるとき、壁支持体及び壁支持体コネクタは、可搬式構造物の枠組を概ね形成する。これらの壁支持体及び壁支持体コネクタは一体的に接続されて可搬式構造物を形成する。枠組の組立中又は組立後、構造物の壁を形成するよう壁材料を壁支持体に付加してもよいし、構造物の１つ又はそれよりも多くの壁がないままにすることによって、開放端部付き構造物を提供してもよい。同様に、枠組構成部品が互いに接続される前に、可搬式構造物の枠組構成部品（複数の枠組構成部品）に壁材料を付加し得る。構造物の壁を形成するよう壁支持体コネクタに壁材料を付加してもよいし、構造物の壁を形成するよう壁支持体及び壁支持体コネクタの両方に壁材料を付加してもよい。壁材料を枠組の上の壁支持体から垂らし掛けてもよいし、１つ又はそれよりも多くの水平支持体又は両方に取り付けてもよい。
【００１１】
ある好適実施態様において、部屋支持体構造は、複数の壁支持体を一連の壁支持体コネクタに取り付けることによって組み立てられる。ある好適実施態様において、一般的に使用される壁支持体の１つの種類は、第一端部と、第二端部と、第一端部と第二端部との間のある長さとを有する。ある好適実施態様において、これらの壁支持体は管状であり、壁コネクタに接続するように構成される。支持体は、一般的には、ＰＶＣ、プラスチック、アルミニウム又は類似の構造材料で作製される。壁支持体の第一端部及び第二端部は、壁支持体コネクタに接続するように構成される。一般的には、本発明の好適実施態様において使用される２つの種類の壁支持体コネクタがあるが、広範な壁支持体コネクタを使用し得る。ある好適実施態様では、壁支持体の隅部コネクタが、一般的には、水平な平面内に第一軸と第二軸とを有する。第一軸及び第二軸は、第一軸及び第二軸の各々の上に第一端部と第二端部とを有する壁支持体コネクタと概ね直角に交差する。これは概ねＸ形状を形成する。ある好適実施態様において、Ｘ形状コネクタにおける２つの軸の概ね交差点から垂直方向に延びるのは、第三軸である。ある好適実施態様において、コネクタはＸ形状であるが、コネクタがＸ形状に作製されることは必須ではない。第三軸は、第一端部を有し、第一端部は、第一軸及び第二軸の概ね交差点でＸ形状に取り付けられ、第一軸及び第二軸から概ね垂直方向に進む。隅部コネクタは、隅部コネクタであるように構成されるのが好ましいが、壁支持体が第一軸又は第二軸のいずれにも接続されないならば、隅部コネクタを側部コネクタ又は端部コネクタとしても使用し得る。複数の壁支持体コネクタ及び隅部を形成する壁支持体は接続されて、一般的な部屋の構造物を形成する。これらの壁支持体を拡張可能にしてもよいし、第二コネクタが２つの壁支持体を接続してより大きな構造物を形成するように、これらの壁支持体を作製してもよい。第二コネクタは、一般的には、壁支持体コネクタであり、壁支持体コネクタは、第一端部と、第二端部と、第一端部と第二端部との間のある長さとを有する。ある好適実施態様において、第二コネクタは、２つの壁支持体を接続するために使用される。しかしながら、可搬式構造物枠組を形成するよう様々な壁支持体及び／又は壁支持体コネクタを接続するために第二コネクタを使用し得る。これは壁支持体の長さに柔軟性を許容する。コネクタは、壁支持体を壁支持体コネクタに取り付けさせるために、ネジ山付き端部を有してもよいし、任意の他の既知の取付け方法を有してもよい。
【００１２】
同様に開示されているのは、構造が複数の壁支持体と、複数の壁支持体コネクタとを有する、可搬式構造物である。ある好適実施態様では、少なくとも１つの壁支持体コネクタが、概ね水平な平面を定め、水平な平面は、第一軸と、第二軸とを有する。第一軸及び第二軸は、概ね水平な平面内に向けられる。第一軸及び第二軸は、概ね垂直な角度において交差し、第一軸及び第二軸が交差する中心点を定める。第一軸及び第二軸は、それぞれ、第一端部と、第二端部と、各軸の第一端部と第二端部との間のある長さとを有する。第一軸及び第二軸は交差して概ねＸ形状のコネクタを形成するが、コネクタは、一時的な構造物建設者の必要に依存して、様々な形状において出現し得る。ある好適実施態様において、コネクタは、第一軸及び第二軸の交差点に対して概ね垂直な第三軸を有するが、第三軸を第一軸と第二軸との間の正確な交差点の中心とは異なる場所に向け得る。壁支持体は、壁支持体コネクタと関連して、構造物の部屋又は建造物全体自体を形成するために接続されるように構成される。構造物は、構造物の壁を形成する壁材料を有するのが好ましい。複数の部屋を提供するために、構造物は内部壁を追加的に有してもよく、構造物に取り付けられる追加的な壁を有しても良い。壁材料を様々な材料で作製可能であり、様々な材料は、布、ナイロン、粗布又は当該技術分野において既知の或いは将来開発される任意の他の種類の材料を非限定的に含む。この出願において、可搬式(portable)という用語は、あらゆる移動可能な(portable)構造物を意味するものとして考えられるが、可搬性（携帯性）の適用は、理想的には、輸送の容易性のために、組立て、梱包、及び、輸送車両への積荷が容易な構造物を意味するものと理解される。１つの実施態様において、このステップは、最小の量の時間において最小の数の人を用いて出現し得る。
【００１３】
本開示及び請求される発明的着想の更なる他の機能及び利点は、発明的着想を実施することによって想定される最良態様の単なる例示によって発明的着想の好適実施態様を記載する後続の詳細な記載から当業者に直ちに明らかになるであろう。認識されるように、それらは本質的に例示的であると考えられ、本質的に限定的であるとは考えられない。
【図面の簡単な説明】
【００１４】
【図１】戦術訓練目的に使用し得る可搬式構造物の本発明の実施態様を示す斜視図である。
【図２】可搬式訓練構造物の壁支持体のある実施態様を示す斜視図である。
【図３】壁支持体コネクタのある実施態様を示す斜視図である。
【図４】壁支持体コネクタのある実施態様を示す斜視図である。
【図５】図１の本発明の１つの実施態様の隅部を詳細に示す斜視図である。
【図６】可搬式構造物を形成する際に２つの壁支持体を接続する２つの壁支持体コネクタのある実施態様を示す分解図である。
【図７】壁支持体コネクタのある好適実施態様を示す分解図である。
【図８】壁支持体コネクタのある実施態様を示す分解斜視図である。
【図９】図３中の線９−９に沿う断面を示す断面図である。
【図１０】図４中の線１０−１０に沿う断面を示す断面図である。
【図１１】本発明の枠組のある実施態様を示す斜視図である。
【図１２】本発明のある実施態様の分解部分のための倉庫／輸送容器を示す様式図(stylized  depiction)である。
【発明を実施するための形態】
【００１５】
現在開示する発明的着想は様々な修正及び代替的構成が可能であるが、その特定の例示的な実施態様を図面に示し、以下に詳細に記載する。しかしながら、発明的着想を開示の特定の形態に限定することは意図されず、むしろ逆に、現在開示し且つ請求する発明的着想は、請求項中に定められる発明的着想の精神及び範囲内に入る全ての修正、代替的構成及び均等物を包含する。
【００１６】
以下の記載及び図面において、同等の素子は同等の参照番号で特定されている。
【００１７】
「例えば」、「等」及び「又は」の使用は、特に断りのない限り、限定のない非排他的な代替物を示す。
【００１８】
「含む」の使用は、特に断りのない限り、「非限定的に含む」ことを意味する。
【００１９】
図１は、本発明のある好適実施態様を提示している。図１は、可搬式構造物２を例示しており、可搬式構造物２は、壁支持体コネクタ４と、壁支持体６と、壁材料８，１２とを含む、枠組で構成されている。図１に描写するように、構造の内側に個々の部屋を有するよう可搬式構造物２を構成し得る。描写する実施態様において、構造物の個々の部屋は、部屋の間に壁仕切板を作製する内部壁材料を使用して分割されている。可搬式構造物は、例えば、出入りのための開口１６，１８を有してもよく、或いは、開き窓(casement)を模するためのように、窓又は類似の開口を提供してもよい。可搬式構造物は、構造に取り付けられるドア１４を有し得る。これらのドアに蝶番１６を付けてもよいし、或いは、番号２４によって例示するように、これらのドアを頂部から下に落としてもよい。例示では、番号２４によって描写するように、開口２２が開閉されるために、開口２２を覆って下に落とされるフラップ２６がある。フラップ２６が開口を覆って閉じるのを防止するために、フラップ２６を持ち上げて構造に取り付け得る。代替的に、フラップが開口を閉じるのを防止するために、フラップを巻き上げ或いは上向きに折り畳み得る。これらの開口を窓として或いはドアとして配置し得るし、これらの開口は個々の部屋の内側又は構造物の外部にあり得る。部屋のための壁又は仕切板として機能するよう様々な材料を使用し得る。
【００２０】
図２は、本発明の壁支持体を例示している。図２に例示する管形状を含む様々な形状に壁支持体を作製し得る。図２に例示する壁支持体は、床の上に位置するよう設計されている。壁支持体は、床の上に位置するノブ４４を有する。ペグが床を引っ掻くのを防止するために、或いは、支持体が床に穴を創成するのを防止するために、このノブ４４をゴムで作製し得る。壁支持体は、壁支持体コネクタ２８によって接続される２つの部分２０，４２を有し得る。代替的に、壁支持体は一体形(one  piece)であり得る。壁支持体を調節可能である、即ち、伸縮式の壁支持体であるように作製してもよいし、或いは、多数の壁支持体を取り付けて拡張壁支持体を形成するように壁支持体を構成し得る。
【００２１】
図３及び図４は、本発明の壁支持体コネクタ４の２つの実施態様を例示している。図３は、拡張壁支持体をもたらすよう２つの壁支持体を接続する壁支持体コネクタを例示している。壁支持体コネクタのこの実施態様は、壁支持体コネクタを壁支持体に接続するために使用されるネジ山付き部分３６を有する。壁支持体コネクタは、描写されているように、ネジ山付き部分３６と類似する第二壁支持体コネクタの間に、ある長さを有する。図３は、ネジ山付き部分３６が、第一の側から第一壁支持体の上に螺合し、第二の側で第二壁支持体に螺合することを例示している。図４は、隅部コネクタのある好適実施態様を例示している。隅部コネクタは、番号３０及び３２によって例示するような２つの軸を有する。壁支持体は、これらの軸の各々の両端部で進入し得る。例示するコネクタは、垂直軸３４を有し、床コネクタは、垂直軸において、隅部コネクタに付着し得る。図５は、訓練活動中の本発明のある実施態様を例示している。軍事又は戦術状況において起こり得るような人影４０が開口２２内に現れている。
【００２２】
図６は、コネクタ２８によって取り付けられる２つの壁支持体２０，４２を提示しており、壁支持体が隅部コネクタ４にどのように付着するかを例示している。描写する実施態様は、地面又は床の上での配置のために、支持体４２の端部にノブも有する。ある好適実施態様では、壁支持体が床の上に位置付けられた後に壁支持体が移動しないことを保証するために、並びに／或いは、壁支持体が位置する床を保護するために、壁支持体４２をノブ４４又は類似の機構と共に構成し得る。
【００２３】
図７及び図８は、ネジ山付きコネクタ３６が隅部壁支持体コネクタに並びに壁支持体の長さを拡張するよう機能するコネクタに付着する、本発明のある実施態様を例示している。端部コネクタ３６，４８は、コネクタの各々の端部ピース、例えば、４６に螺着し、ネジ山付き端部を介して２つの部分を接続することを介した壁支持体の取付けを可能にする。ある好適実施態様ではネジ山式の取付けが使用されるが、ピースの嵌合わせ、爪型システムを含むピン穴取付け、システム内のクリップ又はネジ山式システムを含む、行い得る広範な取付けがある。図９及び図１０は、コネクタの２つの好適な実施態様の内部を描写している。
【００２４】
図１１は、枠組に何らの壁材料も取り付けていない可搬式構造物５０の構造枠組（構造フレーム）を例示している。描写していないが、構造の頂部を覆う屋根又は類似の実施態様を備える可搬式訓練構造物を利用し得る。例示するように、ある好適実施態様では、多数の部屋を有するようシステムを組み立て可能であり、追加的な部屋を創成するよう壁材料を付加し得る。枠組の形状を変更するようコネクタ開口の各々において垂直壁支持体及び水平壁支持体を具備し或いは具備しないコネクタ５６を使用し得る。図示するように、コネクタを介して標準的な壁支持体に取り付けられる下方壁支持体５４を有する壁支持体を形成し、可搬式構造物枠組の高さを拡張し得る。
【００２５】
図１２は、本発明６０のある実施態様の可搬性（携帯性）を例示している。可搬式構造物を解体し、引き続き、収納及び／又は輸送のために、１つ又はそれよりも多くのバッグ（袋）又はビン（貯蔵箱）６６又は隔壁内に配置し得る。描写する実施態様において、壁支持体７０は、底部地面支持体７６と、壁支持体７０と、隅部コネクタ６８と、直線壁支持体コネクタ６４と共に、ビン６６内に配置されている。
【図１】
2013529271.tif 000003
【図２】
2013529271.tif 000004
【図３】
2013529271.tif 000005
【図４】
2013529271.tif 000006
【図５】
2013529271.tif 000007
【図６】
2013529271.tif 000008
【図７】
2013529271.tif 000009
【図８】
2013529271.tif 000010
【図９】
2013529271.tif 000011
【図１０】
2013529271.tif 000012
【図１１】
2013529271.tif 000013
【図１２】
2013529271.tif 000014
【国際調査報告】
2013529271.tif 000015
2013529271.tif 000016
2013529271.tif 000017